(57)【特許請求の範囲】
【請求項１】
水晶振動子の一端に設けられた電極を固定する電極固定部を備え、回路基板の一端に形成された水晶振動子接続部と、回路基板本体部との間の折曲予定線の少なくとも一端部に予め切欠きを形成して、前記折曲予定線の位置にくびれを形成しておくとともに、
前記回路基板の水晶振動子接続部の前記電極固定部に前記水晶振動子の電極をハンダ付けにより固定し、
地板とこの地板の上に載る輪列受とに予め形成された水晶振動子収納溝部に前記水晶振動子を収納するに際して、
前記輪列受の水晶振動子収納溝部に張り出すように前記輪列受の上に回路押さえ板を装着して、この回路押さえ板の張り出し部の下端縁に前記水晶振動子の上部外周面が当接して、この水晶振動子に下向きの押込み力が作用するようにすることによって、前記折曲予定線で前記回路基板を下向きに折曲させ、
前記回路基板の折曲予定線と交叉する回路パターンを当該交叉部において湾曲するように形成しておくことを特徴とする電子時計の水晶振動子の固定方法。
【請求項２】
水晶振動子の一端に設けられた電極と、この電極を固定する電極固定部を備え回路基板の一端に形成された水晶振動子接続部と、地板とこの地板の上に載る輪列受とに予め形成された水晶振動子収納溝部と、を備える水晶振動子の固定構造を有する電子時計であって、
前記回路基板の水晶振動子接続部と回路基板本体部との間の折曲予定線の少なくとも一端部に予め形成された切欠きと、
前記水晶振動子収納溝部に張り出すように前記輪列受の上に搭載される回路押さえ板の張り出し部と、
を備えてなり、
前記回路基板の水晶振動子接続部の電極固定部に前記水晶振動子の電極をハンダ付けにより固定した後、前記水晶振動子収納溝部に前記水晶振動子の本体部を収納するに際して、
前記回路押さえ板の張り出し部の下端縁に前記水晶振動子の上部外周面が当接して、この水晶振動子に下向きの押込み力が作用するようにすることによって、前記折曲予定線で前記回路基板が下向きに折曲するように形成し、
前記折曲予定線と交叉する回路パターンの当該交叉部に形成された回路パターン湾曲部をさらに備えることを特徴とした水晶振動子の固定構造を有する電子時計。
【発明の詳細な説明】
【０００１】
【発明の属する技術分野】
本発明は、電子時計の水晶振動子の固定方法及び水晶振動子の固定構造を有する電子時計に関する。
【０００２】
【従来の技術】
一般に、電子時計には、非常に正確な振動をする振動体としての水晶振動子を振り子の代わりに利用するため、振動子に電流を流したり(発振回路)、振動数を落としたり(分周回路)、時刻表示手段を駆動するなどの働きをするＩＣが電子回路として用いられており、このＩＣは回路基板上にハンダ付けにより装着され、その周囲にハンダバンプ相当部より金めっき等により回路パターンが形成されている。
【０００３】
そして、前記の回路基板の一端には、前記発振回路に水晶振動子を接続するために、水晶振動子の一端に設けられた電極を固定する電極固定部を備えた水晶振動子接続部が形成され、前記電極固定部に形成された一対の金めっき製の回路パターンの各々の上に、水晶振動子の一対の電極をそれぞれハンダ付けにより固定・接続されている。
【０００４】
従来、前記回路基板の水晶振動子接続部に水晶振動子を固定するに際して、電子時計のムーブメントの厚みをできるだけ薄くするために、以下の固定方法が採用されている。
（Ａ）側面図である図５に示すように、裏面に回路パターンの形成された回路基板１００の水晶振動子接続部１０１の電極固定部としての回路パターンに、図の実線で示す水晶振動子１０２の一対の電極１０３の一部をハンダ１０４によって固定する。その後、水晶振動子１０２が図５の一点鎖線で示す姿勢・位置になるように、電極１０３を折り曲げる。
【０００５】
（Ｂ）正面図である図６に示すように、裏面に回路パターンの形成された回路基板１００を、回路基板本体部１００ｍと水晶振動子接続部１０１との間で下方へ折り曲げておく。そして水晶振動子接続部１０１の電極固定部としての回路パターンに水晶振動子１０２の一対の電極１０３の一部をハンダ１０４によって固定する。
【０００６】
【発明が解決しようとする課題】
前記従来の水晶振動子の固定方法には、下記のような問題点がある。
（１）前記（Ａ）項の方法では、電極１０３が折り曲げ部より水晶振動子１０２の端部に至るストレートな部分の高さ分だけ水晶振動子１０２が出っ張って、ムーブメントの厚みが厚くなり、断面的な薄型化が困難である。又、水晶振動子１０２の電極１０３を回路パターンにハンダ付け後に電極１０３を曲げる工程が必要であり、工程が増えコストアップとなる。さらに、電極１０３を回路パターンにハンダ付け後に電極１０３を曲げる際に、ハンダと回路パターンとの間にはがれが生じることがある。
（２）前記（Ｂ）項の方法では、予め回路基板１００を、回路基板本体部１００ｍと水晶振動子接続部１０１との間で下方へ折り曲げておく工程が必要であり、工程が増えコストアップとなる。又、この折り曲げ加工の際に、曲げ応力が局部的に集中せず、折り曲げ部付近の回路パターンにストレスが作用して、この部分や電極固定部の回路パターンが回路基板１００からはがれやすい。
【０００７】
本発明は、前記従来技術の問題点を解消し、ムーブメントの薄型化が容易であり、又、水晶振動子の電極や回路基板を折り曲げるための余分な工程を必要とせずコストダウンが可能であり、さらに、電極の曲げ加工にともなうハンダの回路パターンからのはがれの発生の防止が可能で、品質の安定化が図れる電子時計の水晶振動子の固定方法及び水晶振動子の固定構造を有する電子時計の提供を第１の課題とする。
【０００８】
本発明は、又、回路基板の曲げ加工に伴う曲げ加工部や電極固定部の回路パターンの回路基板からのはがれの発生の防止が可能で、品質の安定化が図れる電子時計の水晶振動子の固定方法及び水晶振動子の固定構造を有する電子時計の提供を第２の課題とする。
【０００９】
【課題を解決するための手段】
本発明の電子時計の水晶振動子の固定方法は、前記第１の課題を解決するために、第１の手段として、
水晶振動子の一端に設けられた電極を固定する電極固定部を備え、回路基板の一端に形成された水晶振動子接続部と、回路基板本体部との間の折曲予定線の少なくとも一端部に予め切欠きを形成して、前記折曲予定線の位置にくびれを形成しておくとともに、
前記回路基板の水晶振動子接続部の電極固定部に前記水晶振動子の電極を固定し、
地板とこの地板の上に載る輪列受とに予め形成された水晶振動子収納溝部に前記水晶振動子を収納するに際して、
前記輪列受の水晶振動子収納溝部に張り出すように前記輪列受の上に回路押さえ板を装着して、この回路押さえ板の張り出し部の下端縁に前記水晶振動子の上部外周面が当接して、この水晶振動子に下向きの押込み力が作用するようにすることによって、前記折曲予定線で前記回路基板を下向きに折曲させること、
を特徴とするように構成したものである。
【００１０】
前記第１の手段を採用した本発明の電子時計の水晶振動子の固定方法においては、前記第２の課題を解決するために、第２の手段として、前記回路基板の折曲予定線と交叉する回路パターンを当該交叉部において湾曲するように形成しておくことを特徴とすることが好ましい。
【００１１】
本発明の水晶振動子の固定構造を有する電子時計は、前記第1の課題を解決するために、第１の手段として水晶振動子の一端に設けられた電極と、この電極を固定する電極固定部を備え回路基板の一端に形成された水晶振動子接続部と、地板とこの地板の上に載る輪列受とに予め形成された水晶振動子収納溝部と、を備える水晶振動子の固定構造を有する電子時計を、前記回路基板の水晶振動子接続部と回路基板本体部との間の折曲予定線の少なくとも一端部に予め形成された切欠きと、前記水晶振動子収納溝部に張り出すように前記輪列受の上に搭載される回路押さえ板の張り出し部と、を備えてなり、
前記回路基板の水晶振動子接続部の前記電極固定部に前記水晶振動子の電極を固定した後、前記地板とこの地板の上に載る輪列受とに予め形成された水晶振動子収納溝部に前記水晶振動子の本体部を収納するに際して、  前記回路押さえ板の張り出し部の下端縁に前記水晶振動子の上部外周面が当接して、この水晶振動子に下向きの押込み力が作用するようにすることによって、前記折曲予定線で前記回路基板が下向きに折曲するように形成したこと、を特徴とするように構成したものである。
【００１２】
前記第１の手段を採用した本発明の水晶振動子の固定構造を有する電子時計においては、前記第２の課題を解決するために、第２の手段として、前記折曲予定線と交叉する回路パターンの当該交叉部に形成された回路パターン湾曲部回路基板の一端に形成された水晶振動子接続部と、回路基板本体部との間の折曲予定線の少なくとも一端部に予め切欠きを形成して、前記折曲予定線の位置にくびれを形成しておくため、水晶振動子の電極を回路基板の水晶をさらに備えることを特徴とすることが望ましい。
【００１３】
（作用）
前記第１の手段を採用した本発明の電子時計の水晶振動子の固定方法及び水晶振動子の固定構造を有する電子時計のような構成は、以下のような作用・効果を奏する。
（１）振動子接続部の電極固定部としての回路パターンの上にハンダ付けで固定した後に、前記地板とこの地板の上に載る輪列受とに予め形成された水晶振動子収納溝部に前記水晶振動子の本体部を収納するに際して、前記回路押さえ板の張り出し部の下端縁に前記水晶振動子の上部外周面が当接して、この水晶振動子に下向きの押込み力が作用するようにすることによって、前記折曲予定線で前記回路基板が下向きに折曲する。その結果、回路基板の折曲時に回路基板に作用するストレスが分散せず、折曲線の部分に局部的に発生するため、電極固定部の回路パターンから電極固定用のハンダがはがれることがない。また、予め回路基板を折曲させておいたり、あるい電極のはハンダ付け・固定後に電極を折曲させる等の余分な工程を必要とせず、コストダウンが可能である。さらに、電極を回路パターンにハンダ付け後に電極を曲げる必要がなく、ハンダと回路パターンとの間にはがれが生じることがない。
（２）電極を折曲させる必要がないので、その分ムーブメントの薄型化が図れる。
【００１４】
前記第２の手段を採用した本発明の電子時計の水晶振動子の固定方法及び水晶振動子の固定構造を有する電子時計のような構成は、以下のような作用・効果を奏する。
即ち、前記回路基板の折曲予定線と交叉する回路パターンを当該交叉部において湾曲するように形成しておくことにより、回路基板の折曲時に回路基板及び回路パターンに作用するストレスが分散せず、折曲線近傍において回路基板から回路パターンがはがれたり、電極固定部においてハンダが回路パターンからはがれることがない。
【００１５】
【発明の実施の形態】
本発明の実施の形態を添付の図面を参照しつつ以下に説明する。
図１は本発明の水晶振動子の固定構造を有する電子時計の一実施の形態における回路基板の平面図、図２は本発明の水晶振動子の固定構造を有する電子時計の一実施の形態における一部の構成・部品配置を示す平面図、図３は図２のＡ−Ａ線矢視断面図、図4は図２のＢ−Ｂ線矢視断面図である。
【００１６】
本発明の水晶振動子の固定構造を有する電子時計の実施の形態は、図に示すように、水晶振動子１の一端に設けられた電極２と、この電極２を固定する電極固定部４ａを備え回路基板３の一端に形成された水晶振動子接続部４と、地板６とこの地板６の上に載る輪列受７とに予め形成された水晶振動子収納溝部８と、を備える水晶振動子の固定構造を有する電子時計であって、
前記回路基板３の水晶振動子接続部４と回路基板本体部５との間の折曲予定線９の一端部に予め形成された切欠き１０と、前記水晶振動子収納溝部８に張り出すように前記輪列受７の上に搭載される回路押さえ板１３の張り出し部１４と、を備えてなり、
前記回路基板３の水晶振動子接続部４の電極固定部４ａに前記水晶振動子１の電極２を固定した後、前記水晶振動子収納溝部８に前記水晶振動子１を収納するに際して、
前記回路押さえ板１３の張り出し部１４の下端縁１４ｂｅに前記水晶振動子３の上部外周面１ｕｓが当接して、この水晶振動子３に下向きの押込み力が作用するようにすることによって、前記折曲予定線９で前記回路基板３が下向きに折曲するように形成したこと、を特徴とするように主要部が構成される。
【００１７】
前記の実施の形態においては、又、前記折曲予定線９と交叉する回路パターン１１の当該交叉部に形成された回路パターン湾曲部１２をさらに備えるように主要部が構成される。
【００１８】
次に、本発明の電子時計の水晶振動子の固定方法の一実施の形態を、前記の図面を参照しつつ、以下に手順を追って説明する。
（１）水晶振動子１の一端に設けられた電極２を固定する電極固定部４ａを備え、回路基板３の一端に形成された水晶振動子接続部４と、回路基板本体部５との間の折曲予定線９の一端部に予め切欠き１０を形成して、前記折曲予定線の位置にくびれを形成しておく。
（２）前記回路基板３の折曲予定線９と交叉する回路パターン１１を当該交叉部において湾曲させて湾曲部１２を形成しておく。
（３）前記回路基板３の水晶振動子接続部４の電極固定部４ａとしての回路パターンに前記水晶振動子１の電極２をハンダ１５により固定する。
（４）地板６とこの地板６の上に載る輪列受７とに予め形成された水晶振動子収納溝部８に前記水晶振動子１を収納するに際して、前記輪列受７の水晶振動子収納溝部８に張り出すように前記輪列受７の上に回路押さえ板１３を装着して、この回路押さえ板１３の張り出し部１４の下端縁１４ｂｅに前記水晶振動子１の上部外周面１ｕｓが当接して、この水晶振動子１に下向きの押込み力が作用するようにすることによって、前記折曲予定線９で前記回路基板３を下向きに折曲させる。
【００１９】
前記のように、構成した本発明の電子時計の水晶振動子の固定方法及び水晶振動子の固定構造を有する電子時計は、以下のような作用・効果を奏する。
（１）回路基板３の一端に形成された水晶振動子接続部４と、回路基板本体部５との間の折曲予定線９の一端部に予め切欠き１０を形成して、前記折曲予定線９の位置にくびれを形成しておくため、水晶振動子１の電極２を回路基板３の水晶振動子接続部４の電極固定部４ａとしての回路パターンの上にハンダ１５で固定した後に、前記地板６とこの地板６の上に載る輪列受７とに予め形成された水晶振動子収納溝部８に前記水晶振動子１を収納するに際して、前記回路押さえ板１３の張り出し部１４の下端縁１４ｂｅに前記水晶振動子１の上部外周面１ｕｓが当接して、この水晶振動子１に下向きの押込み力が作用するようにすることによって、前記折曲予定線９で前記回路基板３が下向きに折曲する。その結果、回路基板３の折曲時に回路基板３に作用するストレスが分散せず、折曲線９の部分に局部的に発生するため、電極固定部１４ａの回路パターンから電極固定用のハンダ１５がはがれることがない。また、予め回路基板３を折曲させておいたり、あるい電極２のはハンダ付け・固定後に電極２を折曲させる等の余分な工程を必要とせず、コストダウンが可能である。さらに、電極２を電極固定部１４としての回路パターンにハンダ１５により固定した後に電極２を曲げる必要がなく、ハンダ１５と回路パターンとの間にはがれが生じることがない。
（２）電極２を折曲させる必要がないので、その分ムーブメントの薄型化が図れる。
【００２０】
（３）前記回路基板３の折曲予定線９と交叉する回路パターン１１を当該交叉部において湾曲させて湾曲部１２を形成しておくことにより、回路基板３の折曲時に回路基板３及び回路パターン１１に作用するストレスが分散せず、折曲線９の近傍において回路基板３から回路パターン１１がはがれたり、電極固定部においてハンダが回路パターンからはがれることがない。
【００２１】
【発明の効果】
本発明は、以下のような優れた効果を奏する。
（１）本発明によれば、回路基板の折曲時に回路基板に作用するストレスが分散せず、折曲線の部分に局部的に発生するため、電極固定部の回路パターンから電極固定用のハンダがはがれることがない。また、予め回路基板を折曲させておいたり、予め電極を曲げておいたり、あるい電極のはハンダ付け・固定後に電極を折曲させる等の余分な工程を必要とせず、コストダウンが可能である。さらに、電極を回路パターンにハンダ付け後に再度電極を曲げる必要がなく、ハンダと回路パターンとの間にはがれが生じることがない。さらに又、電極を予め折曲させる必要がないので、ムーブメントの薄型化が図れる。
【００２２】
（２）本発明によれば、回路基板の折曲時に回路基板及び回路パターンに作用するストレスが分散せず、折曲線近傍において回路基板から回路パターンがはがれたり、電極固定部においてハンダが回路パターンからはがれることがない。
【図面の簡単な説明】
【図１】本発明の水晶振動子の固定構造を有する電子時計の一実施の形態における回路基板の平面図である。
【図２】本発明の水晶振動子の固定構造を有する電子時計の一実施の形態における一部の構成・部品配置を示す平面図である。
【図３】図２のＡ−Ａ線矢視断面図である。
【図４】図２のＢ−Ｂ線矢視断面図である。
【図５】従来の電子時計の水晶振動子の固定方法の一例を示す側面図である。
【図６】従来の電子時計の水晶振動子の固定方法の別の一例を示す正面図である。
【図１】
0003627585.tif 000002
【図２】
0003627585.tif 000003
【図３】
0003627585.tif 000004
【図４】
0003627585.tif 000005
【図５】
0003627585.tif 000006
【図６】
0003627585.tif 000007